(57)【要約】      （修正有）【課題】水はね防止具の上縁に取り付けられる縁カバーの固定作業を簡素化し、カバー固定作業に要する工数削減し得る水はね防止具の縁カバー部材固定構造を提供する。【解決手段】水はね防止具のエッジカバーは、エッジカバーを覆うように取り付けられる粘着テープ３７と、固定鋲３８及びワッシャ３９を用いて水受板２の上縁部２ｅに固定される。粘着テープ３７は固定鋲３８が取り付け可能な孔を有する。固定鋲３８はオス鋲３８ａとメス鋲３８ｂからなり、水受板２の両面側からそれぞれ取り付けられる。水受板２には鋲挿入孔が複数形成されており、オス鋲３８ａとメス鋲３８ｂは、ワッシャ３９を介設しつつ、鋲挿入孔を介して接合される。固定鋲３８は、粘着テープ３７と水受板２を挟持した状態で水受板２に取り付けられ、エッジカバーは、固定鋲３８によって剥がれ止めされた粘着テープ３７によって水受板２に固定される。【選択図】図３
0003185514.tif 000002
【実用新案登録請求の範囲】
【請求項１】
蛇口に取り付けられ、その下端部が流し内に収容される水受板を有し、前記水受板によって、前記流しの外に飛散しようとする水滴を受け止め、前記流し内に案内する水はね防止具の前記水受板の上縁部に取り付けられ、前記水受板の端部を覆うように装着される合成樹脂製の縁カバー部材の固定構造であって、
前記カバー部材を覆うように前記水受板の前記上縁部に取り付けられ、一面側が粘着面となった前記カバー部材脱落防止用のテープ部材と、
前記水受板の前記上縁部近傍に取り付けられ、前記水受板と前記粘着テープを挟持するように固定される鋲部材と、を有することを特徴とする水はね防止具の縁カバー部材固定構造。
【請求項２】
請求項１記載の水はね防止具の縁カバー部材固定構造において、
前記テープ部材は帯状に形成され、その両端部近傍に前記鋲部材が取り付け可能な孔を有することを特徴とする水はね防止具の縁カバー部材固定構造。
【請求項３】
請求項１又は２記載の水はね防止具の縁カバー部材固定構造において、
前記テープ部材は合成樹脂にて形成され、その一面側が粘着面となった粘着テープであることを特徴とする水はね防止具の縁カバー部材固定構造。
【請求項４】
請求項１〜３の何れか１項に記載の水はね防止具の縁カバー部材固定構造において、
前記鋲部材は、嵌合状態で接合される第１部材と第２部材とを有し、
前記第１部材と前記第２部材は、前記水受板の一面側と他面側から前記水受板にそれぞれ取り付けられることを特徴とする水はね防止具の縁カバー部材固定構造。
【請求項５】
請求項４記載の水はね防止具の縁カバー部材固定構造において、
前記水受板は、前記上縁部に前記鋲部材が取り付けられる鋲挿入孔を有し、
前記第１部材と前記第２部材は、前記鋲挿入孔を介して接合されることを特徴とする水はね防止具の縁カバー部材固定構造。
【請求項６】
請求項５記載の水はね防止具の縁カバー部材固定構造において、
前記鋲挿入孔は、前記上縁部に沿って複数個形成されてなることを特徴とする水はね防止具の縁カバー部材固定構造。
【請求項７】
請求項５又は６記載の水はね防止具の縁カバー部材固定構造において、
前記テープ部材の前記孔は、前記カバー部材を覆うように前記テープ部材を前記上縁部に取り付けたとき、前記テープ部材両端部の前記各孔が前記鋲挿入孔と対向するような間隔にて設けられていることを特徴とする水はね防止具の縁カバー部材固定構造。
【請求項８】
請求項４〜７の何れか１項に記載の水はね防止具の縁カバー部材固定構造において、
前記第１部材と前記第２部材の間に、弾性部材にて形成されたワッシャが介設されてなることを特徴とする水はね防止具の縁カバー部材固定構造。
【請求項９】
請求項８記載の水はね防止具の縁カバー部材固定構造において、
前記ワッシャは、前記第１部材と前記第２部材を接合すると弾性的に変形し、前記第１部材と前記第２部材の間にて、前記テープ部材及び前記水受板が密着状態で挟持されることを特徴とする水はね防止具の縁カバー部材固定構造。
【請求項１０】
請求項８又は９記載の水はね防止具の縁カバー部材固定構造において、
前記ワッシャは、中央に孔のあいた円板の円弧を一部切り欠いて形成した切欠部を有し、
前記ワッシャを前記第１部材と前記第２部材の間に装着したとき、前記切欠部の弦の部分が前記縁カバー部材の下縁に沿って配置されることを特徴とする水はね防止具の縁カバー部材固定構造。
【請求項１１】
請求項４〜１０の何れか１項に記載の水はね防止具の縁カバー部材固定構造において、
前記鋲挿入孔は、その内周に、前記第１部材又は前記第２部材を保持可能な突出部を有することを特徴とする水はね防止具の縁カバー部材固定構造。
【考案の詳細な説明】
【技術分野】
【０００１】
本考案は、洗面台や流し台などに取り付けて水の飛散を防止する水はね防止具に装着される縁カバー部材の固定構造に関する。
【背景技術】
【０００２】
洗面所や台所などの洗面台や流し台では、手洗いや洗面、水仕事等の際に、洗面ボウルなどの流しから周囲に水滴が飛び散るのを防止するため、特許文献１〜３のような水はね防止具が提案されている。特許文献１〜３の水はね防止具は、凹状の水受面を備えた水受板を洗面ボウルの奥壁部に取り付け、この水受板にて飛散する水滴を受け止め、洗面台周りへの水はねを防止している。
【０００３】
一方、このような水はね防止具では、水受板の上端縁の存在を明確に示し、洗面や手洗い等の際に手や顔が上端縁にぶつからないように利用者の注意を喚起すべく、水受板の上縁に柔軟で有色の縁カバー部材（エッジカバー）が取り付けられている。エッジカバーは、断面略Ｕ字形に形成されており、水受板の上縁部を挟むように取り付けられ、脱落防止用のテープや固定片などによって固定される。
【先行技術文献】
【特許文献】
【０００４】
【特許文献１】特開２０１２−２５４２７４号公報
【考案の概要】
【考案が解決しようとする課題】
【０００５】
ところが、エッジカバー固定の際に、前述のような脱落防止用テープや固定片を用いると、水受板の上縁部にエッジカバーを確実に固定できるものの、固定作業に時間と手間がかかるという問題があった。このような固定箇所は、１つの水はね防止具に１０個程度あるため、その固定作業に多大な工数を要し製造コストが嵩むと共に、水はね防止具の製作工程上のボトルネックともなり、その改善が求められていた。
【０００６】
本考案の目的は、水はね防止具の端縁に取り付けられる縁カバー部材の固定作業を簡素化し、カバー固定作業に要する工数削減し得る水はね防止具用の縁カバー部材固定構造を提供することにある。
【課題を解決するための手段】
【０００７】
本考案の水はね防止具の縁カバー部材固定構造は、蛇口に取り付けられ、その下端部が流し内に収容される水受板を有し、前記水受板によって、前記流しの外に飛散しようとする水滴を受け止め、前記流し内に案内する水はね防止具の前記水受板の上縁部に取り付けられ、前記水受板の端部を覆うように装着される合成樹脂製の縁カバー部材の固定構造であって、前記カバー部材を覆うように前記水受板の前記上縁部に取り付けられ、一面側が粘着面となった前記カバー部材脱落防止用のテープ部材と、前記水受板の前記上縁部近傍に取り付けられ、前記水受板と前記粘着テープを挟持するように固定される鋲部材と、を有することを特徴とする。
【０００８】
前記固定構造において、前記テープ部材を帯状に形成し、その両端部近傍に前記鋲部材が取り付け可能な孔を設けても良く、前記テープ部材として、合成樹脂にて形成され、その一面側が粘着面となった粘着テープを用いても良い。
【０００９】
前記鋲部材として、嵌合状態で接合される第１部材と第２部材とを有するものを使用し、前記第１部材と前記第２部材を、前記水受板の一面側と他面側から前記水受板にそれぞれ取り付けるようにしても良い。また、前記水受板の前記上縁部に前記鋲部材が取り付けられる鋲挿入孔を設け、前記第１部材と前記第２部材を、前記鋲挿入孔を介して接合するようにしても良い。この場合、前記鋲挿入孔を、前記上縁部に沿って複数個形成しても良い。さらに、前記テープ部材の前記孔を、前記カバー部材を覆うように前記テープ部材を前記上縁部に取り付けたとき、前記テープ部材両端部の前記各孔が前記鋲挿入孔と対向するような間隔にて設けても良い。
【００１０】
一方、前記第１部材と前記第２部材の間に、弾性部材にて形成されたワッシャを介設させても良い。この場合、前記ワッシャが、前記第１部材と前記第２部材を接合すると弾性的に変形し、前記第１部材と前記第２部材の間にて、前記テープ部材及び前記水受板が密着状態で挟持されるようにしても良い。また、前記ワッシャとして、中央に孔のあいた円板の円弧を一部切り欠いて形成した切欠部を有するものを使用し、該ワッシャを前記第１部材と前記第２部材の間に装着したとき、前記切欠部の弦の部分が前記縁カバー部材の下縁に沿って配置されるようにしても良い。
【００１１】
加えて、前記鋲挿入孔の内周に、前記第１部材又は前記第２部材を保持可能な突出部を設けても良い。
【考案の効果】
【００１２】
本考案の水はね防止具の縁カバー部材固定構造によれば、縁カバー部材をテープ部材と鋲部材を用いて水受板の上縁部に固定するようにしたので、従来の固定構造に比して、縁カバー部材の固定作業を簡素化することが可能となる。このため、縁カバー部材固定作業に要する時間と手間を削減することができ、水はね防止具の製造コストの低減を図ることが可能となる。
【図面の簡単な説明】
【００１３】
【図１】本発明の一実施形態である水はね防止具の使用状態を示す斜視図である。
【図２】図１の水はね防止具の拡大斜視図である。
【図３】エッジカバーの固定構造を示す説明図であり、（ａ）はその正面図、（ｂ）は（ａ）のＡ−Ａ線に沿った断面図である。
【図４】エッジカバー固定用の粘着テープの構成を示す説明図である。
【図５】エッジカバーの固定手順を示す説明図である。
【図６】固定鋲の構成を示す説明図である。
【図７】鋲挿入孔の構成を示す説明図である。
【図８】ワッシャの構成を示す説明図である。
【考案を実施するための形態】
【００１４】
以下、本考案の実施の形態を図面に基づいて詳細に説明する。図１は、本考案の一実施の形態である水はね防止具１の使用状態を示す斜視図、図２は、図１の水はね防止具１の拡大斜視図である。図１に示すように、水はね防止具１が取り付けられる洗面台１０は、流しとしての洗面ボウル１１と、洗面ボウル１１の周囲を取り囲むように形成されるカウンター１３とを備えている。カウンター１３の背後には、上方に延びるバックガード１４が取り付けられている。バックガード１４には、化粧鏡１５が取り付けられている。バックガード１４と洗面ボウル１１との間のカウンター１３には、蛇口１６が取り付けられている。なお、バックガード１４を全て化粧鏡によって覆うようにしても良い。
【００１５】
蛇口１６は、上方に延びる蛇口本体１７を備えている。蛇口本体１７の上端には、水栓レバー１８が組み付けられている。蛇口本体１７の外周面には、ほぼ水平方向に延びる導水管１９が設けられている。導水管１９の先端には、下方に開口する吐水口２０が設けられている。水栓レバー１８を操作することにより、吐水口２０から水道水が流出する。洗面ボウル１１の底面には、排水口２１が形成されている。洗面ボウル１１内に流された水道水は、排水口２１より外部に排出される。洗面ボウル１１の奥壁部１２ａには、洗面ボウル１１内の上限水位を定めるオーバーフロー口２２が形成されている。上限水位に達した水道水は、オーバーフロー口２２から排水される。
【００１６】
水はね防止具１は、図１,２に示すように、水受板２によって形成されている。水受板２は、略平板状の基板部２ａと、基板部２ａの両側から前方（手前側）に湾曲して延びる側方湾曲部２ｂとを備えている。水受板２には、基板部２ａと側方湾曲部２ｂとによって凹状の水受面３が形成されている。水受板２の上部は、水受面３側（手前側）に湾曲して延びる上方湾曲部２ｃとなっている。水受板２は、合成樹脂材料を用いて一体に成型されており、樹脂材料としては、例えば、ＰＥＴ（ポリエチレンテレフタレート）樹脂が用いられる。
【００１７】
基板部２ａの中央部やや上方には、取付孔４が開口形成されている。水はね防止具１は、この取付孔４に導水管１９を挿通することにより、図１に示すように、蛇口１６に取り付けられる。水受板２の上部にはまた、２つの貫通孔５が形成されている。貫通孔５は、取付孔４の両側にそれぞれ形成されており、各貫通孔５は、取付孔４から水受板２の幅方向にほぼ等間隔の位置に開口している。貫通孔５は、水受板２を安定させるために設けられており、万一、水受板２の取付状態が安定しない場合には、図２に示すように、貫通孔５に紐５１の一端を結びつける。そして、蛇口１６などに紐５１の他端を結び付けることにより、水受板２の揺れ動きを抑制できる。
【００１８】
水受板２の側方湾曲部２ｂの下端部外側には、吸盤３１が取り付けられている。吸盤３１は、側方湾曲部２ｂに形成された吸盤取付孔３２に装着される。吸盤取付孔３２に装着された吸盤３１は、吸盤固定ピン３３によって抜け止め固定される。吸盤３１には、ピン孔３１ａが設けられており、吸盤固定ピン３３はピン孔３１ａに挿入固定される。
【００１９】
水受板２の下端部には、下縁部２ｄの長手方向に沿って、上端が平面状となった略半球状のボス（凸部）３４が複数個形成されている。ボス３４は水受板２の裏面側に突設されており、外方に向かって突出している。ボス３４は、２個１組となったペアが、中央に１組、両側部にそれぞれ３組設けられている。洗面ボウル１１に水はね防止具１を取り付けると、ボス３４の頂部が、奥壁部１２ａや側壁部１２ｂなどの洗面ボウル１１の内壁面１２に対向・当接し、洗面ボウル１１と水はね防止具１との間に隙間が形成される。
【００２０】
水受板２の上端部には、合成樹脂製のエッジカバー（縁カバー部材）３５が取り付けられている。図３は、エッジカバー３５の取付構造を示す説明図であり、（ａ）はその正面図、（ｂ）は（ａ）のＡ−Ａ線に沿った断面図である。なお、図３（ｂ）では、断面構成が理解しやすいように、エッジカバー３５の厚さを誇張して記載している。エッジカバー３５は、塩化ビニルのような柔軟性のある合成樹脂にて形成されており、例えば、半透明な水色に着色されている。図３に示すように、エッジカバー３５は断面が略Ｕ字形となっており、その中央には装着溝（溝部）３６が形成されている。エッジカバー３５は、水受板２の上縁部２ｅを装着溝３６に挿入する形で、水受板２の上端部に装着される。なお、エッジカバー３５の透明度や色彩は、前述の「半透明／水色」には限定されず、不透明や他の色彩（例えば、赤や黄色など）とすることも可能である。
【００２１】
図３に示すように、エッジカバー３５は、エッジカバー脱落防止用の粘着テープ（テープ部材）３７と、粘着テープ剥落防止用の固定鋲（鋲部材）３８及びワッシャ３９を用いて水受板２の上縁部２ｅに固定される。水受板２の上縁部２ｅには、長手方向に沿って、固定鋲取付用の鋲挿入孔４０が複数個形成されている。粘着テープ３７は、図４に示すように、両端が半円形状となった帯状の短い合成樹脂製テープであり、片面側は粘着面３７ａとなっている。また、粘着テープ３７の両端部には、固定鋲３８が挿入される孔４１が、鋲挿入孔４０に対応して設けられている。本実施形態では、粘着テープ３７は、幅１０ｍｍ×長さ４５ｍｍ×厚さ０.５ｍｍ程度、孔４１は直径５ｍｍ程度となっており、ＰＥＴ（ポリエチレンテレフタレート）やＰＰ（ポリプロピレン）、塩化ビニル等にて形成されている。
【００２２】
このような粘着テープ３７は、次のようにして水はね防止具１に取り付けられ、エッジカバー３５が水受板２の上縁部２ｅに固定される。図５は、その手順を示す説明図である。ここでは、まず図５（ａ）に示すように、粘着テープ３７を水受板２の一面側（ここでは、外側面）に貼り付ける。その際、粘着テープ３７の一端側の孔４１を鋲挿入孔４０に合わせ、粘着テープ３７の他端側が上縁部２ｅを越えて延びる形とする。また、粘着テープ３７は、テープが上縁部２ｅと略直角となるように貼り付ける。
【００２３】
次に、粘着テープ３７の他端側を水受板２の他面側（ここでは、内側面）に引き回し、エッジカバー３５を覆うように、粘着テープ３７をエッジカバー３５上に貼り付け、さらに、粘着テープ３７を水受板２の内側面に貼り回す（図５（ｂ））。この際、粘着テープ３７は、水受板２の他面側においても、他端側の孔４１を鋲挿入孔４０に合わせるようにエッジカバー３５及び水受板２に貼り付けられる（図５（ｃ））。つまり、粘着テープ３７の２つの孔４１間の間隔は、図５（ｃ）のように粘着テープ３７を貼り付けたとき、各孔４１がそれぞれ鋲挿入孔４０に対向しぴったりと合うような寸法に設定されている。このようにして、粘着テープ３７をエッジカバー３５に取り付けた後、鋲挿入孔４０に固定鋲３８を取り付ける。
【００２４】  固定鋲３８は、オス鋲（オス部材：第１部材）３８ａとメス鋲（メス部材：第２部材）３８ｂとからなり、例えば、（公序良俗違反につき、不掲載）１.８ｍｍ（ＰＯＭ製）などが使用される。図６（ａ）は固定鋲３８の構成を示す側面図、同（ｂ）はメス鋲３８ｂの正面図である。図６に示すように、オス鋲３８ａの中央部には、嵌合突起４２が突設されている。嵌合突起４２は、先端部４２ａが拡径されたキノコ状に形成されている。メス鋲３８ｂには、嵌合突起４２が挿入される受容突起４３が突設されている。受容突起４３には、嵌合孔４４が貫通形成されると共に、突起の側壁４３ａには軸方向に沿ってスリット４５が形成されている。スリット４５は、嵌合孔４４内に嵌合突起４２を挿入すると拡開し、これにより、嵌合突起４２を容易に受容突起４３内に挿入することが可能となっている。
【００２５】
このような固定鋲３８では、スリット４５を拡開しつつ、オス鋲３８ａの嵌合突起４２をメス鋲３８ｂの受容突起４３内に挿入する。そして、嵌合突起４２を軽圧入状態で嵌合孔４４に押し込むと、嵌合突起４２の先端部４２ａがメス鋲３８ｂの裏面側に突出する。すると、先端部４２ａの段部４２ｂがメス鋲３８ｂの係合面４６と係合し、オス鋲３８ａとメス鋲３８ｂがスナップフィット状態で抜け止め固定される。
【００２６】
そこで、水はね防止具１では、図５（ｃ）のように粘着テープ３７をエッジカバー３５に取り付けた後、まず、鋲挿入孔４０に受容突起４３を挿入する形で、水受板２の内側面にメス鋲３８ｂを配する（図５（ｄ））。この際、鋲挿入孔４０は、図７に示すように、その内周に複数個（ここでは、等分に４個）の突出部４７が設けられている。従って、受容突起４３がこの突出部４７にて保持された状態となり、メス鋲３８ｂが鋲挿入孔４０から脱落することなく仮固定され、作業性の向上が図られる。このようにしてメス鋲３８ｂを鋲挿入孔４０に取り付けた後、水受板２の外側面側から、ワッシャ３９を介して、オス鋲３８ａをメス鋲３８ｂに挿入嵌合させる（図５（ｅ））。
【００２７】
ワッシャ３９は、ゴムや合成樹脂などの弾性部材にて形成されており、ワッシャ３９を介設することにより、オス鋲３８ａとメス鋲３８ｂがガタなく接合する。これにより、粘着テープ３７や水受板２が両鋲３８ａ,３８ｂ間にて密着・挟持され、固定鋲３８が動いたり、ずれたりするのを防止できる。そして、ワッシャ３９を介して、オス鋲３８ａをメス鋲３８ｂに挿入嵌合させると、両鋲３８ａ,３８ｂは、図３（ｂ）に示したように、水受板２と粘着テープ３７を挟んだ状態で固定される。これにより、エッジカバー３５を覆うように貼り付けられた粘着テープ３７が、固定鋲３８によって固定され、剥がれ止めされた状態となる。なお、エッジカバー３５の左右の端部は、スペース的に固定鋲３８を配しにくく、また、エッジカバー３５の取り付け作業も容易となることから、タグピン４８を用いたピストル止めが施される。
【００２８】
このように、本考案による縁カバー固定構造では、エッジカバー３５を粘着テープ３７と固定鋲３８を用いて水受板２の上縁部２ｅに固定するようにしたので、従来の固定構造に比して、エッジカバー３５の固定作業が簡素化される。このため、エッジカバー固定作業に要する時間と手間を大幅に削減しつつ、エッジカバー３５を確実に水受板２に固定することが可能となる。従って、エッジカバー固定作業の工数を大幅に削減できると共に、製作工程上のボトルネックを解消することもでき、水はね防止具の製造コストの低減を図ることが可能となる。
【００２９】  本考案は前記実施の形態に限定されるものではなく、その要旨を逸脱しない範囲で種々変更可能であることは言うまでもない。  例えば、前述の実施の形態では、ワッシャ３９として、図８（ａ）のような通常のリング形状のものを使用しているが、同図（ｂ）のような円周の一部を切り欠いて切欠部４９を形成したものを使用しても良い。ワッシャ３９を図８（ｂ）の形状とすると、切欠部４９の弦の部分をエッジカバー３５の下縁に沿わせて配置可能となり、製品の美観上好適となる。また、前述の実施形態では、固定鋲３８として（公序良俗違反につき、不掲載）を使用しているが、同様の機能を有する固定部材であれば、他の製品を使用することも勿論可能である。さらに、オス鋲３８ａとメス鋲３８ｂの何れを外側あるいは内側に配置するかは適宜選択可能である。
【符号の説明】
【００３０】
１    水はね防止具
２    水受板
２ａ  基板部
２ｂ  側方湾曲部
２ｃ  上方湾曲部
２ｄ  下縁部
２ｅ  上縁部
３    水受面
４    取付孔
５    貫通孔
１０    洗面台
１１    洗面ボウル
１２    内壁面
１２ａ  奥壁部
１２ｂ  側壁部
１３    カウンター
１４    バックガード
１５    化粧鏡
１６    蛇口
１７    蛇口本体
１８    水栓レバー
１９    導水管
２０    吐水口
２１    排水口
２２    オーバーフロー口
３１    吸盤
３１ａ  ピン孔
３２    吸盤取付孔
３３    吸盤固定ピン
３４    ボス
３５    エッジカバー（縁カバー部材）
３６    装着溝
３７    粘着テープ（テープ部材）
３７ａ  粘着面
３８    固定鋲（鋲部材）
３８ａ  オス鋲（第１部材）
３８ｂ  メス鋲（第２部材）
３９    ワッシャ
４０    鋲挿入孔
４１    孔
４２    嵌合突起
４２ａ  先端部
４２ｂ  段部
４３    受容突起
４３ａ  側壁
４４    嵌合孔
４５    スリット
４６    係合面
４７    突出部
４８    タグピン
４９    切欠部
５１    紐
【図１】
0003185514.tif 000003
【図２】
0003185514.tif 000004
【図３】
0003185514.tif 000005
【図４】
0003185514.tif 000006
【図５】
0003185514.tif 000007
【図６】
0003185514.tif 000008
【図７】
0003185514.tif 000009
【図８】
0003185514.tif 000010
【手続補正書】
【提出日】平成25年6月21日(2013.6.21)
【手続補正１】
【補正対象書類名】明細書
【補正対象項目名】００２４
【補正方法】変更
【補正の内容】
【００２４】
固定鋲３８は、オス鋲（オス部材：第１部材）３８ａとメス鋲（メス部材：第２部材）３８ｂとからなり、スナップフィット式のプラスチック製鋲部材（例えば、ＰＯＭ製）などが使用される。図６（ａ）は固定鋲３８の構成を示す側面図、同（ｂ）はメス鋲３８ｂの正面図である。図６に示すように、オス鋲３８ａの中央部には、嵌合突起４２が突設されている。嵌合突起４２は、先端部４２ａが拡径されたキノコ状に形成されている。メス鋲３８ｂには、嵌合突起４２が挿入される受容突起４３が突設されている。受容突起４３には、嵌合孔４４が貫通形成されると共に、突起の側壁４３ａには軸方向に沿ってスリット４５が形成されている。スリット４５は、嵌合孔４４内に嵌合突起４２を挿入すると拡開し、これにより、嵌合突起４２を容易に受容突起４３内に挿入することが可能となっている。
【手続補正２】
【補正対象書類名】明細書
【補正対象項目名】００２９
【補正方法】変更
【補正の内容】
【００２９】
本考案は前記実施の形態に限定されるものではなく、その要旨を逸脱しない範囲で種々変更可能であることは言うまでもない。
例えば、前述の実施の形態では、ワッシャ３９として、図８（ａ）のような通常のリング形状のものを使用しているが、同図（ｂ）のような円周の一部を切り欠いて切欠部４９を形成したものを使用しても良い。ワッシャ３９を図８（ｂ）の形状とすると、切欠部４９の弦の部分をエッジカバー３５の下縁に沿わせて配置可能となり、製品の美観上好適となる。また、前述の実施形態では、固定鋲３８としてスナップフィット式のプラスチック製鋲部材を使用しているが、同様の機能を有する固定部材であれば、他の製品を使用することも勿論可能である。さらに、オス鋲３８ａとメス鋲３８ｂの何れを外側あるいは内側に配置するかは適宜選択可能である。